(57)【特許請求の範囲】
【請求項１】
支持体上に下記一般式（Ａ−Ｉ）、（Ａ−II）又は（Ａ−III）で表される色素の少なくとも１種を含有する色素供与層を有する色素供与材料と支持体上に金属イオン含有化合物の少なくとも１種を含有する色素受像層を有する受像材料からなり、色素供与層に含有される一般式（Ａ−Ｉ）、（Ａ−II）又は（Ａ−III）で表される色素と色素受像層に含有される金属イオン含有化合物は反応して金属キレート色素を形成可能であることを特徴とする感熱転写記録材料。
【化１】
0003625362.tif 000019
［式中、ＲA1、ＲA2、ＲA3は水素原子又は置換基を表し、＝Ａ−は＝Ｎ−又は＝ＬA1−（ＬA2＝ＬA3）m−基を表し、Ｂはアゾ基を表し、Ｑは可視域及び／又は赤外域に吸収を持つ色素を形成するのに必要な非金属原子群を表す。ＬA1、ＬA2及びＬA3は置換基を有しても良いメチン基を表し、ｍは０、１、２を表す。］
【請求項２】
支持体上に下記一般式（Ａ−IV）で表される色素の少なくとも１種を含有する色素供与層を有する色素供与材料と支持体上に金属イオン含有化合物の少なくとも１種を含有する色素受像層を有する受像材料からなり、色素供与層に含有される一般式（Ａ−IV）で表される色素と色素受像層に含有される金属イオン含有化合物は反応して金属キレート色素を形成可能であることを特徴とする感熱転写記録材料。
【化２】
0003625362.tif 000020
［式中、ＲA1、ＲA2、ＲA3、ＲA4、ＲA5、ＲA6は水素原子又は置換基を表し、ｑは０、１、２、３、４を表す。］
【請求項３】
前記金属イオン含有化合物が、下記一般式（８）で表される化合物であることを特徴とする請求項１または２に記載の感熱転写記録材料。
一般式（８）
［Ｍ（Ｑ1）l（Ｑ2）m（Ｑ3）n］p+（Ｙ-）p
［式中、Ｍは金属イオンを表す。Ｑ1，Ｑ2，Ｑ3は各々Ｍで表される金属イオンと配位結合可能な配位化合物を表し、互いに同じであっても異なっていても良い。Ｙは有機アニオン基を表し、ｐは０、１又は２を表す。ｌは１、２又は３の整数を表し、ｍは１、２又は０を表し、ｎは１又は０を表すが、これらは前記一般式（８）で表される錯体が４座配位か、６座配位かによって決定されるか、或いは、Ｑ1，Ｑ2，Ｑ3の配位子の数によって決定される。］
【請求項４】
請求項３に記載の一般式（８）において、ｐ＝０であり、Ｑ1，Ｑ2，Ｑ3が下記一般式（９）で表されるアニオン性化合物であることを特徴とする請求項３に記載の感熱転写記録材料。
【化３】
0003625362.tif 000021
［式中、Ｒ5、Ｒ6は各々同じであっても異なっていても良いアルキル基又はアリール基を表し、Ｒ7はアルキル基、アルコキシ基、ハロゲン原子、アルコキシカルボニル基、水素原子を表す。］
【請求項５】
支持体上に下記一般式（Ａ−Ｉ）、（Ａ−II）又は（Ａ−III）で表される色素の少なくとも１種を含有する色素供与層を有する色素供与材料に、支持体上に金属イオン含有化合物の少なくとも１種を含有する色素受像層を有する受像材料を重ね、前記色素供与材料を画像情報に応じて加熱して色素を色素受像層に転写し、転写色素と前記金属イオン含有化合物との反応により形成される金属キレート色素によって画像を形成することを特徴とする感熱転写記録方法。
【化４】
0003625362.tif 000022
［式中、ＲA1、ＲA2、ＲA3は水素原子又は置換基を表し、＝Ａ−は＝Ｎ−又は＝ＬA1−（ＬA2＝ＬA3）m−基を表し、Ｂはアゾ基を表し、Ｑは可視域及び／又は赤外域に吸収を持つ色素を形成するのに必要な非金属原子群を表す。ＬA1、ＬA2及びＬA3は置換基を有しても良いメチン基を表し、ｍは０、１、２を表す。］
【請求項６】
支持体上に下記一般式（Ａ−IV）で表される色素の少なくとも１種を含有する色素供与層を有する色素供与材料に、支持体上に金属イオン含有化合物の少なくとも１種を含有する色素受像層を有する受像材料を重ね、前記色素供与材料を画像情報に応じて加熱して色素を色素受像層に転写し、転写色素と前記金属イオン含有化合物との反応により形成される金属キレート色素によって画像を形成することを特徴とする感熱転写記録方法。
【化５】
0003625362.tif 000023
［式中、ＲA1、ＲA2、ＲA3、ＲA4、ＲA5、ＲA6は水素原子又は置換基を表し、ｑは０、１、２、３、４を表す。］
【請求項７】
前記金属イオン含有化合物が、下記一般式（８）で表される化合物であることを特徴とする請求項５または６に記載の感熱転写記録方法。
一般式（８）
［Ｍ（Ｑ1）l（Ｑ2）m（Ｑ3）n］p+（Ｙ-）p
［式中、Ｍは金属イオンを表す。Ｑ1，Ｑ2，Ｑ3は各々Ｍで表される金属イオンと配位結合可能な配位化合物を表し、互いに同じであっても異なっていても良い。Ｙは有機アニオン基を表し、ｐは０、１又は２を表す。ｌは１、２又は３の整数を表し、ｍは１、２又は０を表し、ｎは１又は０を表すが、これらは前記一般式（８）で表される錯体が４座配位か、６座配位かによって決定されるか、或いは、Ｑ1，Ｑ2，Ｑ3の配位子の数によって決定される。］
【請求項８】
請求項７に記載の一般式（８）において、ｐ＝０であり、Ｑ1，Ｑ2，Ｑ3が下記一般式（９）で表されるアニオン性化合物であることを特徴とする請求項７に記載の感熱転写記録方法。
【化６】
0003625362.tif 000024
［式中、Ｒ5、Ｒ6は各々同じであっても異なっていても良いアルキル基又はアリール基を表し、Ｒ7はアルキル基、アルコキシ基、ハロゲン原子、アルコキシカルボニル基、水素原子を表す。］
【発明の詳細な説明】
【０００１】
【発明に属する技術分野】
本発明は、感熱転写記録材料及び感熱転写記録方法に関し、更に詳しくは、定着性、耐光性等の画像保存性に優れ、且つ高濃度で高感度な画像を得る為の感熱転写記録材料、及びこの感熱転写記録材料を用いて効率的に高感度、高濃度で画像安定性の良好な画像を記録することができる感熱転写記録方法に関する。
【０００２】
【従来の技術】
従来から、カラーハードコピーを得る方法として、インクジェット、電子写真、感熱転写、ハロゲン化銀感光材料などによるカラー画像記録方法が検討されている。これらのうち、特に感熱転写材料は、操作や保守が容易であること、装置の小型化、低コスト化が可能なこと、更にランニングコストが安いこと等の利点を有している。
【０００３】
ところで、熱転写方式の感熱転写記録においては、感熱転写材料に用いられる色素が重要である。得られた画像の安定性、特に定着や耐光性を改良する目的でキレート化可能な熱拡散性色素を用いる感熱転写材料及び画像形成方法が提案されているが、これらは、耐光性や定着性に優れているが、感度、濃度の点では十分に満足するものではなく、これらすべてを満足した感熱転写記録材料及びそれを用いた方法が望まれている。
【０００４】
【発明が解決しようとする課題】
本発明の目的は、定着性や耐光性等の画像保存性に優れ、且つ高濃度で高感度な画像を得るための感熱転写記録材料及びこの記録材料を用いた感熱転写記録方法の提供にある。
【０００５】
【課題を解決するための手段】
本発明の上記目的は、下記構成によって達成される。
（１）支持体上に下記一般式（Ａ−Ｉ）、（Ａ−II）又は（Ａ−III）で表される色素の少なくとも１種を含有する色素供与層を有する色素供与材料と支持体上に金属イオン含有化合物の少なくとも１種を含有する色素受像層を有する受像材料からなり、色素供与層に含有される一般式（Ａ−Ｉ）、（Ａ−II）又は（Ａ−III）で表される色素と色素受像層に含有される金属イオン含有化合物は反応して金属キレート色素を形成可能であることを特徴とする感熱転写記録材料。
【０００６】
【化７】
0003625362.tif 000002
［式中、ＲA1、ＲA2、ＲA3は水素原子又は置換基を表し、＝Ａ−は＝Ｎ−又は＝ＬA1−（ＬA2＝ＬA3）m−基を表し、Ｂはアゾ基を表し、Ｑは可視域及び／又は赤外域に吸収を持つ色素を形成するのに必要な非金属原子群を表す。ＬA1、ＬA2及びＬA3は置換基を有しても良いメチン基を表し、ｍは０、１、２を表す。］
（２）支持体上に下記一般式（Ａ−IV）で表される色素の少なくとも１種を含有する色素供与層を有する色素供与材料と支持体上に金属イオン含有化合物の少なくとも１種を含有する色素受像層を有する受像材料からなり、色素供与層に含有される一般式（Ａ−IV）で表される色素と色素受像層に含有される金属イオン含有化合物は反応して金属キレート色素を形成可能であることを特徴とする感熱転写記録材料。
【０００７】
【化８】
0003625362.tif 000003
［式中、ＲA1、ＲA2、ＲA3、ＲA4、ＲA5、ＲA6は水素原子又は置換基を表し、ｑは０、１、２、３、４を表す。］
（３）前記金属イオン含有化合物が、下記一般式（８）で表される化合物であることを特徴とする上記（１）または（２）に記載の感熱転写記録材料。
一般式（８）
［Ｍ（Ｑ1）l（Ｑ2）m（Ｑ3）n］p+（Ｙ-）p
［式中、Ｍは金属イオンを表す。Ｑ1，Ｑ2，Ｑ3は各々Ｍで表される金属イオンと配位結合可能な配位化合物を表し、互いに同じであっても異なっていても良い。Ｙは有機アニオン基を表し、ｐは０、１又は２を表す。ｌは１、２又は３の整数を表し、ｍは１、２又は０を表し、ｎは１又は０を表すが、これらは前記一般式（８）で表される錯体が４座配位か、６座配位かによって決定されるか、或いは、Ｑ1，Ｑ2，Ｑ3の配位子の数によって決定される。］
（４）上記（３）に記載の一般式（８）において、ｐ＝０であり、Ｑ1，Ｑ2，Ｑ3が下記一般式（９）で表されるアニオン性化合物であることを特徴とする上記（３）に記載の感熱転写記録材料。
【０００８】
【化９】
0003625362.tif 000004
［式中、Ｒ5、Ｒ6は各々同じであっても異なっていても良いアルキル基又はアリール基を表し、Ｒ7はアルキル基、アルコキシ基、ハロゲン原子、アルコキシカルボニル基、水素原子を表す。］
（５）支持体上に下記一般式（Ａ−Ｉ）、（Ａ−II）又は（Ａ−III）で表される色素の少なくとも１種を含有する色素供与層を有する色素供与材料に、支持体上に金属イオン含有化合物の少なくとも１種を含有する色素受像層を有する受像材料を重ね、前記色素供与材料を画像情報に応じて加熱して色素を色素受像層に転写し、転写色素と前記金属イオン含有化合物との反応により形成される金属キレート色素によって画像を形成することを特徴とする感熱転写記録方法。
【０００９】
【化１０】
0003625362.tif 000005
［式中、ＲA1、ＲA2、ＲA3は水素原子又は置換基を表し、＝Ａ−は＝Ｎ−又は＝ＬA1−（ＬA2＝ＬA3）m−基を表し、Ｂはアゾ基を表し、Ｑは可視域及び／又は赤外域に吸収を持つ色素を形成するのに必要な非金属原子群を表す。ＬA1、ＬA2及びＬA3は置換基を有しても良いメチン基を表し、ｍは０、１、２を表す。］
（６）支持体上に下記一般式（Ａ−IV）で表される色素の少なくとも１種を含有する色素供与層を有する色素供与材料に、支持体上に金属イオン含有化合物の少なくとも１種を含有する色素受像層を有する受像材料を重ね、前記色素供与材料を画像情報に応じて加熱して色素を色素受像層に転写し、転写色素と前記金属イオン含有化合物との反応により形成される金属キレート色素によって画像を形成することを特徴とする感熱転写記録方法。
【００１０】
【化１１】
0003625362.tif 000006
［式中、ＲA1、ＲA2、ＲA3、ＲA4、ＲA5、ＲA6は水素原子又は置換基を表し、ｑは０、１、２、３、４を表す。］
（７）前記金属イオン含有化合物が、下記一般式（８）で表される化合物であることを特徴とする上記（５）または（６）に記載の感熱転写記録方法。
一般式（８）
［Ｍ（Ｑ1）l（Ｑ2）m（Ｑ3）n］p+（Ｙ-）p
［式中、Ｍは金属イオンを表す。Ｑ1，Ｑ2，Ｑ3は各々Ｍで表される金属イオンと配位結合可能な配位化合物を表し、互いに同じであっても異なっていても良い。Ｙは有機アニオン基を表し、ｐは０、１又は２を表す。ｌは１、２又は３の整数を表し、ｍは１、２又は０を表し、ｎは１又は０を表すが、これらは前記一般式（８）で表される錯体が４座配位か、６座配位かによって決定されるか、或いは、Ｑ1，Ｑ2，Ｑ3の配位子の数によって決定される。］
（８）上記（７）に記載の一般式（８）において、ｐ＝０であり、Ｑ1，Ｑ2，Ｑ3が下記一般式（９）で表されるアニオン性化合物であることを特徴とする上記（７）に記載の感熱転写記録方法。
【００１１】
【化１２】
0003625362.tif 000007
［式中、Ｒ5、Ｒ6は各々同じであっても異なっていても良いアルキル基又はアリール基を表し、Ｒ7はアルキル基、アルコキシ基、ハロゲン原子、アルコキシカルボニル基、水素原子を表す。］
以下、本発明について詳細に説明する。
【００１２】
一般式（Ａ−Ｉ）、（Ａ−II）、（Ａ−III）、（Ａ−IV）において、ＲA1、ＲA2、ＲA3、ＲA4、ＲA5、ＲA6は水素原子又は置換基を表す。
【００１３】
ＲA1、ＲA2、ＲA3及びＲA4で表される置換基としては、具体的には、ハロゲン原子（例えば、フッ素原子、塩素原子等）、アルキル基（例えば、メチル基、エチル基、ブチル基、ペンチル基、２−メトキシエチル基、トリフルオロメチル基、２−エチルヘキシル基等）、アリール基（例えば、フェニル基、ｐ−トリル基、ナフチル基等）、アシル基（例えば、アセチル基、プロピオニル基、ベンゾイル基等）、アルコキシ基（例えば、メトキシ基、エトキシ基、ブトキシ基等）、アルコキシカルボニル基（例えば、メトキシカルボニル基、ｉ−プロポキシカルボニル基等）、アシルオキシ基（例えば、アセチルオキシ基、エチルカルボニルオキシ基等）、カルバモイル基（例えば、メチルカルバモイル基、エチルカルバモイル基、ブチルカルバモイル基、フェニルカルバモイル基等）、スルファモイル基（例えば、スルファモイル基、メチルスルファモイル基、ジメチルスルファモイル基、フェニルスルファモイル基等）、アルキルチオ基（例えば、メチルチオ基、エチルチオ基、オクチルチオ基等）、アリールチオ基（例えば、フェニルチオ基、ｐ−トリルチオ基等）、アミノ基（例えば、アミノ基、メチルアミノ基、ジエチルアミノ基、メトキシエチルアミノ基等）、アシルアミノ基（例えば、アセチルアミノ基、クロロアセチルアミノ基、プロピオニルアミノ基、ベンゾイルアミノ基、トリフルオロアセチルアミノ基等）、アルキルウレイド基（例えば、メチルウレイド基、エチルウレイド基、メトキシエチルウレイド基、ジメチルウレイド基等）、アリールウレイド基（例えば、フェニルウレイド基等）、アルキルスルホンアミド基（例えば、メタンスルホンアミド基、エタンスルホンアミド基、ブタンスルホンアミド基、トリフルオロメチルスルホンアミド基、２，２，２−トリフルオロエチルスルホンアミド基等）、アリールスルホンアミド基（例えば、フェニルスルホンアミド基、トリルスルホンアミド基等）、アルキルアミノスルホニルアミノ基（例えば、メチルアミノスルホニルアミノ基、エチルアミノスルホニルアミノ基等）、アリールアミノスルホニルアミノ基（例えば、フェニルアミノスルホニルアミノ基等）、ヒドロキシ基、シアノ基、ニトロ基、複素環基（例えば、ピリジル基、ピラゾリル基、イミダゾリル基、フリル基、チエニル基等）などが挙げられ、更にこれらは置換基を有していても良い。また、ＲA1、ＲA2、ＲA3及びＲA4はそれぞれ同じでも異なっていてもよい。
【００１４】
ＲA5及びＲA6で表される置換基としては、具体的には、置換されていても良いアルキル基、アルケニル基、アリール基、アラルキル基、シクロアルキル基等が挙げられ、これらの置換基は互いに結合するかＲA4と結合して環を形成しても良い。
【００１５】
ｑは０、１、２、３、４を表し、ｑが２、３、４であるときは、複数あるＲA4はそれぞれ同じでも異なっていてもよく、また環を形成しても良い。
【００１６】
ＬA1、ＬA2及びＬA3はメチン基を表し、これらメチン基は置換基を有していても良く、置換基としては上記のような置換基が挙げられる。ｍは０、１、２を表す。
【００１７】
Ｑは可視域及び／又は赤外域に吸収を持つ色素を形成するのに必要な非金属原子群であれば特に制限を受けないが、好ましくは、芳香族環基又は複素環基が挙げられ、ベンゼン環基、ピリジン環基、ピリミジン環基、フラン環基、チオフェン環基、チアゾール環基、イミダゾール環基、ナフタレン環基、３Ｈ−ピロール環基、オキサゾール環基、３Ｈ−ピロリジン環基、オキサゾリジン環基、オキサゾリジンジオン環基、ヒドロキシピリドン環基、イミダゾリジン環基、チアゾリジン環基、３Ｈ−インドール環基、ベンズオキサゾール環基、ベンズイミダゾール環基、ベンズチアゾール環基、キノリン環基、イソキノリン環基、インドレニン環基、バルビツール環基、チオバルビツール環基、ローダニン環基、ヒダントイン環基、チオヒダントイン環基、ピラゾリジンジオン環基、ピリジンジオン環基、トリアジン環基、ピラゾール環基、チアジアゾール環基、５−ピラゾロン環基、ピラゾロピロール環基、ピラゾロピラゾール環基、ピラゾロイミダゾール環基、ピラゾロトリアゾール環基、ピラゾロテトラゾール環基、ピラゾロピリドン環基、オキサゾロン環基、イソオキサゾロン環基、インダンジオン環基、などが挙げられる。
【００１８】
これらの芳香族環又は複素環は更に置換基を有してもよく、該置換基としては、上述のような置換基が拳げられる。
【００１９】
以下に本発明中の一般式（Ａ−Ｉ）、（Ａ−II）、（Ａ−III）、（Ａ−IV）で表される色素の具体例を挙げるが、本発明はこれらに限定されるものではない。
【００２０】
【化１３】
0003625362.tif 000008
【００２１】
【化１４】
0003625362.tif 000009
【００２２】
【化１５】
0003625362.tif 000010
【００２３】
【化１６】
0003625362.tif 000011
【００２４】
【化１７】
0003625362.tif 000012
【００２５】
【化１８】
0003625362.tif 000013
【００２６】
合成例
本発明のピラゾロピリミジン−７−オン母核の色素は下記のように合成できる。
【００２７】
【化１９】
0003625362.tif 000014
【００２８】
（中間体Ｃｐの合成）
１００ｍｌナス型フラスコ中で３−アミノ−５−メチルピラゾール３．０ｇ、２−メチルアセト酢酸エチル５．３４ｇ、ｐ−トルエンスルホン酸一水和物０．７ｇをＥｔＯＨ６０ｍｌと３時間加熱還流を行った。反応終了後これを放冷し、析出した結晶を濾取した。得られた白い結晶は４．３ｇだった。
【００２９】
（Ａ−１の合成）
３００ｍｌのコニカルビーカーに中間体Ｃｐ２．３ｇと２−アミノ−５−（ジエチルアミノ）トルエン一塩酸塩３．３４ｇとメタノール１５０ｍｌを入れ溶解し、ここにトリエチルアミン１０．５ｇを加え、反応液を氷冷しながら、過硫酸アンモニウム水溶液（過硫酸アンモニウム８．９ｇ、水４０ｍｌ）を滴下した。析出した結晶を濾取し、水洗し、乾燥後、アセトニトリルにて再結晶を行い、２．３ｇの緑色の結晶（Ａ−１）を得た。
【００３０】
本発明の感熱転写材料は、色素供与材料と受像材料から構成される。
色素供与材料は、支持体と本発明の色素を含有する色素供与層から構成される。該色素供与層は本発明の色素をバインダーと共に溶剤中に溶解することによって、或いは溶媒中に微粒子状に分散させることによって色素供与層形成用インク液を調整し、該インクを支持体上に塗布して適宜に乾燥することにより形成することができる。色素供与層の厚さは乾燥膜厚で０．１〜１０μｍが好ましい。
【００３１】
前記バインダーとしては、アクリル樹脂、メタクリル樹脂、ポリスチレン、ポリカーボネート、ポリスルホン、ポリエーテルスルホン、ポリビニルブチラール、ポリビニルアセタール、ニトロセルロース、エチルセルロース等の溶剤可溶性ポリマーが好ましい。これらのバインダーは一種又は二種以上を有機溶媒に溶解して用いるだけでなく、ラテックス分散の形で使用してもよい。バインダーの使用量としては、支持体１ｍ2当り０．１〜２０ｇが好ましい。前記有機溶媒としては、アルコール類（例えば、エタノール、プロパノール）、セルソルブ類（例えば、メチルセルソルブ）、芳香族類（例えば、トルエン、キシレン）、エステル類（例えば、酢酸エステル）、ケトン類（例えば、アセトン、メチルエチルケトン）、エーテル類（例えば、テトラヒドロフラン、ジオキサン）等が挙げられる。
【００３２】
前記支持体としては、寸法安定性がよく、記録の際感熱ヘッド等の加熱に耐えるものであればよいが、コンデンサー紙、グラシン紙のような薄葉紙、ポリエチレンテレフタレート、ポリアミド、ポリカーボネートのような耐熱性のプラスチックフイルムが好ましく用いられる。支持体の厚さは、２〜３０μｍが好ましく、また、支持体にはバインダーとの接着性の改良や色素の支持体ヘの転写、染着を防止する目的で、選択されたポリマーからなる下引き層を有することが好ましい。更に、支持体の裏面（色素供与層と反対側）には、ヘッドが支持体に粘着するのを防止する目的で、スリッピング層を有してもよい。
【００３３】
本発明の感熱転写記録材料をフルカラー画像記録が可能な感熱転写記録材料に適用するには、イエロー画像を形成することができる熱拡散性イエロー色素を含有するイエロー色素供与層、マゼンタ画像を形成することができる熱拡散性マゼンタ色素を含有するマゼンタ色素供与層、シアン画像を形成することができる熱拡散性シアン色素を含有するシアン色素供与層の合計３層を支持体上の同一表面上に順次繰り返して塗設することが好ましい。また、必要に応じて、他に黒色画像形成物質を含む色素供与層の合計４層が同一表面上に順次に繰り返して塗設されていても良い。
【００３４】
本発明の感熱転写記録材料は、支持体上に前記一般式（Ａ−Ｉ）、（Ａ−II）、（Ａ−III）又は（Ａ−IV）で表される色素の少なくとも１種を含有する色素供与層を有する色素供与材料に支持体上に金属イオン含有化合物の少なくとも１種を含有する色素受像層を有する受像材料を重ね、前記色素供与材料を画像情報に応じて加熱し、前記色素を転写し、前記色素と前記金属イオン含有化合物との反応により形成される金属キレート色素によって色素受像層に画像が形成される。
【００３５】
受像材料は、支持体上に金属イオン含有化合物の少なくとも１種を含有する色素受像層を有している。
上記金属イオン含有化合物としては、金属イオンの無機又は有機の塩及び金属錯体が挙げられ、中でも有機酸の塩及び錯体が好ましい。金属としては、周期律表の第Ｉ〜VIII族に属する１価及び多価の金属が挙げられるが、中でもＡｌ，Ｃｏ，Ｃｒ，Ｃｕ，Ｆｅ，Ｍｇ，Ｍｎ，Ｍｏ，Ｎｉ，Ｓｎ，Ｔｉ及びＺｎが好ましく、特にＮｉ，Ｃｕ，Ｃｒ，Ｃｏ及びＺｎが好ましい。金属イオン含有化合物の具体例としては、Ｎｉ2+，Ｃｕ2+，Ｃｒ3+，Ｃｏ2+及びＺｎ2+と酢酸やステアリン酸等の脂肪酸の塩、或いは安息香酸、サルチル酸等の芳香族カルボン酸の塩等が挙げられる。
【００３６】
また、下記一般式（８）で表される錯体は特に好ましく用いることができる。
一般式（８）
［Ｍ（Ｑ1）l（Ｑ2）m（Ｑ3）n］p+（Ｙ-）p
但し、上記式中、Ｍは金属イオン、好ましくはＮｉ2+，Ｃｕ2+，Ｃｒ3+，Ｃｏ2+，Ｚｎ2+を表す。Ｑ1，Ｑ2，Ｑ3は各々Ｍで表される金属イオンと配位結合可能な配位化合物を表し、互いに同じであっても異なっていても良い。これらの配位化合物としては、例えば、キレート科学（５）（南江堂）に記載されている配位化合物から選択することができる。Ｙは有機アニオン基を表し、具体的には、テトラフェニルホウ素アニオンやアルキルベンゼンスルホン酸アニオン等を挙げることができる。ｌは１、２又は３の整数を表し、ｍは１、２又は０を表し、ｎは１又は０を表すが、これらは前記一般式で表される錯体が４座配位か、６座配位かによって決定されるか、或いは、Ｑ1，Ｑ2，Ｑ3の配位子の数によって決定される。
【００３７】
ｐは０、１又は２を表す。ｐ＝０は、Ｑ1，Ｑ2，Ｑ3で表される配位化合物がアニオン性化合物であり、Ｑ1，Ｑ2，Ｑ3で表されるアニオン性化合物とＭで表される金属カチオンとが電気的に中和された状態であることを意味する。アニオン性化合物としては下記一般式（９）で表される化合物が好ましい。
【００３８】
【化２０】
0003625362.tif 000015
Ｒ5、Ｒ6は各々同じであっても異なっていても良いアルキル基又はアリール基を表し、Ｒ7はアルキル基、アルコキシ基、ハロゲン原子、アルコキシカルボニル基、水素原子を表す。
【００３９】
金属イオン含有化合物の添加量は、通常、受像材料に対し、０．５〜２０ｇ／ｍ2が好ましく、１〜１５ｇ／ｍ2がより好ましい。
【００４０】
金属キレート色素により画像形成する受像材料は、一般に、紙、プラスチックフィルム、又は紙−プラスチックフィルム複合体を支持体とし、その上に金属イオン含有化合物の少なくとも１種を含有する色素受像層が設けられる。色素受像層はポリエステル樹脂、ポリ塩化ビニル樹脂、塩化ビニルと他のモノマー（例えば、酢酸ビニル等）との共重合樹脂、ポリビニルブチラール、ポリビニルピロリドン、ポリカーボネート等の一種又は二種以上からなるポリマー層で形成される。前記受像材料は、必要に応じ色素受像層中に酸化防止剤、離型剤等を含有してもよく、又色素受像層の上に保護層を設けてもよく、更に支持体と色素受像層の間に接着や断熱或いはクッション効果を目的として中間層を設けてもよい。更に支持体の裏面（色素受像層と反対側）には、帯電防止層、ブロッキング防止を目的として無機、又は、有機の非昇華性微粒子を含む背面層を設けてもよい。又、支持体両面に色素受像層を設けていてもよい。又、上記支持体そのものを受像材料にすることもある。
【００４１】
本発明の感熱転写記録方法において、支持体上に前記一般式（Ａ−Ｉ）、（Ａ−II）、（Ａ−III）又は（Ａ−IV）で表される色素の少なくとも１種を含有する色素供与層を有する色素供与材料に、支持体上に金属イオン含有化合物を含有する色素受像層を有する受像材料を重ね、前記色素供与材料を画像情報に応じて加熱し、前記色素と前記金属イオン含有化合物との反応により形成される金属キレート色素によって画像を形成する。
加熱は、サーマルヘッドによる加熱が一般的であるが、通電加熱やレーザーを用いた加熱でもよい。サーマルヘッド等による熱の付与は、色素供与材料の背面側からでも、又受像材料の背面側でも特に制限なく行われてよいが、色素の転写速度及び画像濃度等を考慮した場合、色素供与材料の背面側からが好ましい。また、色素の転写前、転写中或いは転写後に更に加熱して、色素転写の促進、金属イオン含有化合物との反応促進、転写色素の定着促進をはかることができる。
【００４２】
次に、図１を参照して本発明の感熱転写記録方法の一例を説明する。
【００４３】
図１の感熱転写記録材料において、受像材料３は、支持体１上に金属イオン含有化合物を含む受像層２が設けられて構成されており、又色素供与材料６は支持体４上に本発明に係る色素を含む色素供与層５が設けられて構成されている。上記受像材料３及び色素供与材料６には、それぞれ支持体との間に中間層を設けてもよい。感熱転写記録方法としては、前記受像材料３及び色素供与材料６を重ね合わせ、色素供与材料６の背面側からサーマルヘッド７に担持された発熱抵抗体８により画像情報に応じた熱を与え、その後、両材料を剥離することにより達成される。その際、色素供与層５中の前記色素と受像層２中の金属イオン含有化合物との反応により形成される金属錯体色素画像が形成される。
【００４４】
【実施例】
以下に、実施例により本発明を更に具体的に説明するが、本発明はそれらに限定されるものではない。
実施例１
【００４５】
−インクの調整−
下記の原料を混合して本発明に係わる色素を含有する均一な溶液のインクを得た。色素の溶解性は良好であり、インク化適性も良好であった。
例示色素（Ａ−１）・・・・・・・・・・・・・・・・・・・・・・０．７２ｇ
ポリビニルアセトアセタール樹脂（ＫＹ−２４，電機化学工業製）・１．０８ｇ
メチルエチルケトン・・・・・・・・・・・・・・・・・・・・・２６．４ｍｌ
トルエン・・・・・・・・・・・・・・・・・・・・・・・・・・・１．６ｍｌ
【００４６】
−色素供与材料の作成−
上記インクを、厚さ４．５μｍのポリエチレンテレフタレートベース上にワイヤーバーを用いて、乾燥後の塗布量が２．３ｇ／ｍ2になるように塗布乾燥し、ポリエチレンフタレートフィルム上に色素供与層を形成してなる色素供与材料−１を作成した。なお、上記ポリエチレンテレフタレートベースの裏面には、スティキング防止層としてシリコン変性ウレタン樹脂（ＳＰ−２１０５，大日精化製）を含むニトロセルロース層が設けられている。
【００４７】
上記と同様にして表１に示す色素を用いた色素供与材料−２〜１５を作成した。
【００４８】
−受像材料の作成−
紙の両面にポリエチレンをラミネートした支持体（片側のポリエチレン層に白色顔料（ＴｉＯ2）と青味剤を含む。）の上に、下記組成の塗布液を乾燥後の塗布量が７．２ｇ／ｍ2になるように塗布乾燥し、受像材料−１を作製した。
【００４９】
（塗布液組成）
金属イオン含有化合物（下記）・・・・・・・・・・・・・・・・・・４．０ｇ
【００５０】
【化２１】
0003625362.tif 000016
ポリビニルブチラール樹脂（ＢＸ−１、積水化学工業製）・・・・・・６．０ｇ
ポリエステル変成シリコン・・・・・・・・・・・・・・・・・・・・０．３ｇ
【００５１】
−感熱転写記録方法−
前記色素供与材料と受像材料とを重ね、感熱ヘッドを色素供与材料の裏面からあてて、サーマルプリンターで画像記録を行ない、階調性の優れた画像−１〜１５を得た。
【００５２】
記録後、画像の最大濃度、感度及び耐光性について下記に従って評価した。結果を表１に示す。
【００５３】
最大濃度の評価：
Ｘ−ｒｉｔｅ３１０ＴＲにより画像の最大反射濃度（通常、印加時間が最大の部分）を測定した。
【００５４】
感度の評価：
色素供与材料−１４で形成される画像の濃度が１．００となるときの印加エネルギーを１としたときの各材料の相対的な印加エネルギーを求めた。数字が小さいほど感度が高いことを示す。
【００５５】
耐光性の評価：
得られた画像に対してキセノンフェードメーターで５日間光照射を行い耐光性を評価した。光照射後の色素残存率の結果を表１に示す。尚、色素残存率は光照射前の濃度をＤ0、光照射後の濃度をＤとして（Ｄ／Ｄ0）×１００で表す。
【００５６】
【化２２】
0003625362.tif 000017
【００５７】
【表１】
0003625362.tif 000018
表１が示す通り、本発明の色素を用いた感熱転写記録材料は感度が高く、高濃度で画像保存性の良好な画像を得ることが出来る。
実施例２
実施例１の受像材料の作成において、さらに受像材料−１から金属イオン含有化合物を除いた以外は受像材料−１と同じ組成の受像材料−２を作成した。
【００５８】
定着性評価：
実施例１で得られた画像の受像面と前記受像材料−２の受像面を重ね合わせて４０℃で２０ｋｇ／ｍ2の加重を加えて４８時間放置した後、引きはがして該受像材料−２への色素の転移を目視で観察した。
【００５９】
その結果、本発明の感熱転写記録方法で記録した画像はいずれも受像材料−２への色素転移は認められなかったが、画像−１５では色素の転移が認められた。即ち、本発明の感熱転写記録方法に従えば定着性の優れた画像が得られることが分かる。
【００６０】
【発明の効果】
本発明による感熱転写記録材料及びこの記録材料を用いた感熱転写記録方法は定着性や耐光性等の画像保存性に優れた画像を得ることができ、且つ高感度で、高濃度の記録が可能な画像を得ることが出来る。
【図面の簡単な説明】
【図１】本発明の感熱転写記録方法の一例を説明する説明図である。
【符号の説明】
１；支持体
２；色素受像層
４；支持体
５；色素供与層
７；サーマルヘッド
【図１】
0003625362.tif 000025